(57)【特許請求の範囲】
【請求項１】
電子化された情報であるコンテンツまたはその属性情報を管理するためのコンテンツディレクトリサーバと，コンテンツＩＤ発行サーバと，端末とで構成され，これらがネットワークで接続されるシステムであって，
前記端末は，
前記コンテンツＩＤ発行サーバに対し，前記コンテンツに対するＩＤ情報であるコンテンツＩＤの発行を要求する手段と，
前記コンテンツＩＤを送受信する手段と，
前記コンテンツＩＤをコンテンツに付与するコンテンツＩＤ付与手段と，
前記コンテンツディレクトリサーバに対し，前記コンテンツＩＤ毎の属性情報の登録更新を要求する手段とを備え，
前記コンテンツＩＤ発行サーバは，
前記端末からのコンテンツＩＤの発行要求に対し，その端末の利用者の認証を行う利用者認証手段と，
前記利用者の認証後に前記コンテンツに対するＩＤ情報であるコンテンツＩＤを発行し，発行要求元の端末へ送信する手段と，
前記端末を利用する利用者の利用者ＩＤと発行したコンテンツＩＤの関係に関する情報を前記コンテンツディレクトリサーバへ送信するＩＤ情報管理手段とを備え，
前記コンテンツディレクトリサーバは，
前記コンテンツＩＤ発行サーバから前記利用者ＩＤとコンテンツＩＤの関係に関する情報を受信するとともに，その関係に関する情報を管理するＩＤ情報管理手段と，
前記端末からのコンテンツＩＤ毎の属性情報の登録更新要求に対し，その端末の利用者の認証を行う利用者認証手段と，
前記利用者の認証後に，前記ＩＤ情報管理手段によって管理している前記利用者ＩＤとコンテンツＩＤの関係に関する情報と，前記端末から受信したコンテンツＩＤ毎の属性情報の登録更新要求に係る利用者ＩＤとコンテンツＩＤとの組の情報とを照合し，該登録更新要求の正当性を確認し，要求されたコンテンツＩＤ毎の属性情報を登録更新する手段と，
前記コンテンツＩＤまたはコンテンツの属性情報をキーとしてコンテンツを検索する手段とを備える
ことを特徴とするコンテンツディレクトリシステム。
【請求項２】
電子化された情報であるコンテンツまたはその属性情報を管理するためのコンテンツディレクトリサーバと，コンテンツＩＤ発行サーバと，端末とで構成され，これらがネットワークで接続されるシステムであって，
前記端末は，
前記コンテンツＩＤ発行サーバに対し，前記コンテンツに対するＩＤ情報であるコンテンツＩＤの発行を要求する手段と，
前記コンテンツＩＤを送受信する手段と，
前記コンテンツＩＤをコンテンツに付与するコンテンツＩＤ付与手段と，
前記コンテンツディレクトリサーバに対し，前記コンテンツＩＤ毎の属性情報の登録更新を要求する手段とを備え，
前記コンテンツＩＤ発行サーバは，
前記端末からのコンテンツＩＤの発行要求に対し，その端末の利用者の認証を行う利用者認証手段と，
前記利用者の認証後に前記コンテンツに対するＩＤ情報であるコンテンツＩＤを発行し，発行要求元の端末へ送信する手段と，
前記端末を利用する利用者の利用者ＩＤと発行したコンテンツＩＤの関係に関する情報を管理するＩＤ情報管理手段とを備え，
前記コンテンツディレクトリサーバは，
前記端末からのコンテンツＩＤ毎の属性情報の登録更新要求に対し，その端末の利用者の認証を行う利用者認証手段と，
前記コンテンツＩＤ発行サーバに対し，前記属性情報の登録更新要求に係る利用者の利用者ＩＤとコンテンツＩＤとの関係に関する情報を問い合わせるＩＤ情報管理手段と，
前記ＩＤ情報管理手段によって問い合わせた前記利用者ＩＤとコンテンツＩＤの関係に関する情報と，前記端末から受信したコンテンツＩＤ毎の属性情報の登録更新要求に係る利用者ＩＤとコンテンツＩＤとの組の情報とを照合し，該登録更新要求の正当性を確認し，要求されたコンテンツＩＤ毎の属性情報を登録更新する手段と，
前記コンテンツＩＤまたはコンテンツの属性情報をキーとしてコンテンツを検索する手段とを備える
ことを特徴とするコンテンツディレクトリシステム。
【請求項３】
前記端末は，利用者の認証を行う利用者認証手段を備える
ことを特徴とする請求項１または請求項２記載のコンテンツディレクトリシステム。
【請求項４】
前記利用者認証手段は，公開鍵と秘密鍵を用いた公開鍵暗号方式により利用者の認証を行う
ことを特徴とする請求項１から請求項３までのいずれかに記載のコンテンツディレクトリシステム。
【請求項５】
前記コンテンツＩＤ付与手段は，ファイルのヘッダ情報への設定により前記コンテンツＩＤを付加するように構成される
ことを特徴とする請求項１から請求項４までのいずれかに記載のコンテンツディレクトリシステム。
【請求項６】
前記コンテンツＩＤ付与手段は，電子透かしにより前記コンテンツＩＤを付加するように構成される
ことを特徴とする請求項１から請求項４までのいずれかに記載のコンテンツディレクトリシステム。
【請求項７】
前記コンテンツＩＤ付与手段は，電子透かしでコンテンツＩＤを付加する際，固定鍵により埋め込みを行うようにし，コンテンツＩＤを付与する前に固定鍵で電子透かしを読み出し，電子透かしによる前記コンテンツＩＤを読み出せば付与しないように構成される
ことを特徴とする請求項６記載のコンテンツディレクトリシステム。
【発明の詳細な説明】
【０００１】
【発明の属する技術分野】
本発明は，デジタルコンテンツまたはその著作権等の属性情報の登録更新等の管理を行うシステムに関する。
【０００２】
【従来の技術】
近年，デジタルコンテンツ流通の時代が始まりつつある。しかし，デジタルコンテンツは保存・複写・加工・転送を繰り返して行っても品質劣化が生じないため，これらの作業によって生じる著作権の処理は大きな問題である。これまで，デジタルコンテンツの著作権処理には的確な方法がなく，著作権法あるいは契約で処理されており，著作権法においてもデジタル方式の録音・録画機器に対する補償金が制度化されているにすぎない。
【０００３】
このような状況において，データベース化されたデジタルコンテンツの著作権をどのように扱うかが大きな問題となるが，これまでのところそのための著作権管理手段で完成されたものはない。
【０００４】
これに関連する従来技術としては，例えば特開平１１−７２４１号公報「電子透かしを利用するデジタルコンテンツ管理システム」，特開平１０−３０２００８号公報「データコンテンツ流通システム」，特開平１０−２５４９０９号公報「データ管理システム」等で開示された技術がある。
【０００５】
例えば，特開平１１−７２４１号の電子透かしを利用するデジタルコンテンツ管理システムでは，デジタルコンテンツ管理プログラムをマイクロカーネルとしてユーザ装置のオペレーティングシステムに組み込み，ネットワークあるいはデータ放送を利用して，デジタルコンテンツ管理プログラムとリンクする監視プログラムまたは監視コマンドをユーザ装置に送信し，デジタルコンテンツの不正利用を監視する。不正利用されたデジタルコンテンツには，可視透かしを埋め込み，以後の利用を抑制する。正規の利用であっても不可視の透かしを埋め込むことにより，複写・転送等の経路を確認することを可能にする。また，公開鍵を公開鍵配布画面に記入してネットワークあるいは放送により配布する。公開鍵配布画面には，公開鍵所有者あるいは利用者の情報が不可視電子透かしとして埋め込まれたイメージ情報を添付し，この電子透かしにより公開鍵あるいは利用者の正当性を確認する。
【０００６】
また，特開平１０−３０２００８号公報のデータコンテンツ流通システムでは，データのコンテンツとしてオブジェクトを取り扱い，データコンテンツの加工はオブジェクトであるデータコンテンツを加工プログラムによって加工することによって行う。加工データコンテンツは，原データコンテンツと加工プログラムによる加工内容を記載した加工シナリオとによって表現する。流通するのは，暗号化された加工シナリオのみであり，暗号化加工シナリオを入手したユーザは，鍵管理センタから入手した暗号鍵を用いて暗号化加工シナリオを復号し，加工シナリオに従ってデータベースから原データコンテンツを入手し，加工データコンテンツを再構成する。加工シナリオの販売を希望する者がいる場合には，競売を行い，加工シナリオの使用権を販売する。
【０００７】
また，特開平１０−２５４９０９号公報のデータ管理システムでは，データコンテンツの盗用や漏洩の防止のため，データ管理センタで，ユーザに供給するデータコンテンツにユーザデータを電子透かしとして埋め込み，データコンテンツを暗号鍵で暗号化して供給する。暗号化データコンテンツは，データ管理センタからの暗号鍵を用いて復号して利用され，保存では別の暗号鍵を用いて暗号化される。データコンテンツを他のユーザに複写・転送するには，他のユーザのユーザデータを電子透かしとして埋め込むためのシナリオをデータ管理センタに登録し，電子透かしを埋め込んだデータコンテンツを別の暗号鍵で暗号化して供給する。シナリオで他のユーザの正当性が確認されると，他のユーザに別の暗号鍵を配送し，暗号化データコンテンツをその別の暗号鍵で復号して利用させ，保存では別の暗号鍵で暗号化する。データコンテンツの不正な複写・転送が行われた場合には，電子透かしの確認でその利用者を特定することができる。
【０００８】
【発明が解決しようとする課題】
しかしながら，以上のような従来技術では，コンテンツ管理用の識別情報を登録の正当性を確保して発行すると同時に，コンテンツ管理用の識別情報またはコンテンツの属性情報をもとに映像または音楽等のコンテンツに関してユーザにコンテンツの検索を可能にするものはなかった。同時にコンテンツのＩＤ情報に関する情報の正当性を確保することも課題となっている。そこで，これらの問題点を同時に解決することを本発明の課題とする。
【０００９】
【課題を解決するための手段】
本発明は，端末と，コンテンツディレクトリサーバと，コンテンツＩＤ発行サーバとから構成され，端末は，コンテンツＩＤ発行サーバに対し，コンテンツに対するＩＤ情報であるコンテンツＩＤの発行を要求する手段と，コンテンツＩＤを送受信する手段と，コンテンツＩＤをコンテンツに付与するコンテンツＩＤ付与手段と，コンテンツディレクトリサーバに対し，コンテンツＩＤ毎の属性情報の登録更新を要求する手段とを有し，コンテンツＩＤ発行サーバは，端末からのコンテンツＩＤの発行要求に対し，その端末の利用者の認証を行う利用者認証手段と，利用者の認証後にコンテンツに対するＩＤ情報であるコンテンツＩＤを発行し，発行要求元の端末へ送信する手段と，端末を利用する利用者の利用者ＩＤと発行したコンテンツＩＤの関係に関する情報をコンテンツディレクトリサーバへ送信するＩＤ情報管理手段とを有し，コンテンツディレクトリサーバは，コンテンツＩＤ発行サーバから利用者ＩＤとコンテンツＩＤの関係に関する情報を受信するとともに，その関係に関する情報を管理するＩＤ情報管理手段と，端末からのコンテンツＩＤ毎の属性情報の登録更新要求に対し，その端末の利用者の認証を行う利用者認証手段と，利用者の認証後に，ＩＤ情報管理手段によって管理している利用者ＩＤとコンテンツＩＤの関係に関する情報と，端末から受信したコンテンツＩＤ毎の属性情報の登録更新要求に係る利用者ＩＤとコンテンツＩＤとの組の情報とを照合し，該登録更新要求の正当性を確認し，要求されたコンテンツＩＤ毎の属性情報を登録更新する手段と，コンテンツＩＤまたはコンテンツの属性情報をキーとしてコンテンツを検索する手段とを有する。
【００１０】
さらに，端末側にも利用者認証手段を追加してもよい。また，この利用者認証手段は，公開鍵と秘密鍵を用いた公開鍵暗号方式により処理されるように構成してもよい。
【００１１】
【発明の実施の形態】
図１は，コンテンツディレクトリシステムのブロック構成図である。図１に示すように，コンテンツディレクトリサーバ１と利用者の端末２とコンテンツＩＤ発行サーバ３とは，ネットワーク４で接続される。
【００１２】
コンテンツＩＤ発行サーバ３のＩＤ発行サーバ制御手段３１は，利用者認証手段３２と，ＩＤ情報管理手段３３と，コンテンツＩＤ発行手段３４との同期を制御する。利用者認証手段３２は，端末２からのコンテンツＩＤ発行要求を受けて，要求者の認証を行う手段である。認証の方法はどのような方法を用いてもよいが，例えば公開鍵と秘密鍵を用いる公開鍵暗号方式を使ってもよい。特開平１０−３９７５２号公報「公開鍵暗号による通信および認証方法，ならびにそれらの装置」に記述された手順を用いると，強度の高い暗号化を実現することができる。
【００１３】
この特開平１０−３９７５２号公報に記載されている公開鍵暗号方式では，従来の有理整数環上の公開鍵暗号と比較して，完全解読に対しては同程度以上の強度を持ち，同報通信攻撃に対して従来より高い強度を持つ暗号化を実現するため，鍵生成装置は，代数体上の整数環Ｏにおける素イデアル（ｐ），（ｑ）を生成して第１の秘密鍵とし，その積（ｎ）＝（ｐ）（ｑ）の剰余類を第１の公開鍵とする。また，（ｐ），（ｑ）から第２の秘密鍵ｄと第２の公開鍵ｅを生成する。暗号化装置は，入力された平文Ｍをブロックに分割し，イデアル（ｎ）を法とするｅ乗演算により暗号化を行い，暗号文（Ｃ０，Ｃ１，…，Ｃr-1 ）を通信路に出力する。復号化装置は，入力された暗号文のブロックに対しイデアル（ｎ）を法とするｄ乗演算により復号化を行い，復号化された平文ブロックを統合して，平文Ｍを出力する。他にも種々の公開鍵暗号方式があり，これらの具体的手順についてはよく知られている技術であるので，ここでの詳細な説明は省略する。
【００１４】
コンテンツＩＤ発行手段３４は，端末２からのコンテンツＩＤ発行要求を受けてコンテンツＩＤを発行し，端末２に送信する手段である。ＩＤ情報管理手段３３は，認証した利用者に対して発行したコンテンツＩＤ情報を利用者ＩＤに関係付けてデータベースで管理するとともに，コンテンツディレクトリサーバ１に前記二つの情報の関係を通知する手段である。
【００１５】
コンテンツディレクトリサーバ１のサーバ制御手段１１は，利用者認証手段１２と，ＩＤ情報管理手段１３と，コンテンツＩＤ送受信手段１４と，コンテンツ属性情報登録更新手段１５と，コンテンツ検索手段１６との同期を制御する。
【００１６】
利用者認証手段１２は，端末２からのコンテンツの属性情報の登録更新要求等を受けたときに，要求者の認証を行う手段である。ＩＤ情報管理手段１３は，コンテンツＩＤ発行サーバ３のＩＤ情報管理手段３３が送信してきたコンテンツＩＤと利用者ＩＤの対からなる情報を受信しデータベースで管理しておき，端末２からコンテンツ属性情報の登録更新要求があったときに要求者の利用者ＩＤとコンテンツＩＤの組の情報を，コンテンツＩＤ発行サーバ３から受け取ったコンテンツＩＤと利用者ＩＤの組の情報と照らし合わせて登録更新要求の正当性を確認する手段である。
【００１７】
コンテンツＩＤ送受信手段１４は，コンテンツＩＤ発行サーバ３からコンテンツＩＤを受け取るとともに，コンテンツＩＤ情報を端末２との間で送受信する手段である。コンテンツ属性情報登録更新手段１５は，端末２から受信したコンテンツＩＤ別のコンテンツ属性情報をもとに，コンテンツＩＤ毎のコンテンツ属性情報をデータベースに登録更新して管理する手段である。コンテンツ検索手段１６は，コンテンツＩＤ毎の属性情報を通知したり，コンテンツ属性情報の検索条件を絞り込んだときに検索条件に合致するコンテンツの集合を通知する手段である。
【００１８】
また，図１に示す端末２において，端末制御手段２１は，コンテンツＩＤ発行要求手段２２と，コンテンツ属性登録要求手段２３と，コンテンツＩＤ送受信手段２４と，コンテンツＩＤ付与手段２５との同期を制御する。
【００１９】
コンテンツＩＤ発行要求手段２２は，コンテンツＩＤ発行サーバ３に対してコンテンツＩＤの発行を要求する手段である。コンテンツＩＤ送受信手段２４は，コンテンツＩＤ発行サーバ３で発行されたコンテンツＩＤを受け取るとともに，コンテンツＩＤをコンテンツディレクトリサーバ１に送信する手段である。コンテンツＩＤ付与手段２５は，コンテンツＩＤ発行サーバ３により発行され送信されて受け取ったコンテンツＩＤをコンテンツに付与する手段である。付与の方法として，電子透かしによりコンテンツ本体に埋め込むとか，またはファイルのヘッダ情報にコンテンツＩＤを設定するとかの方法を用いることができる。電子透かしの具体的手順については，例えば特開平１０−１９１０２５号公報「デジタル画像への情報埋め込み装置」，特開平１０−１４５７５７号公報「電子透かしの挿入方法及び抽出方法」等に記述された手順を用いてもよい。
【００２０】
特開平１０−１９１０２５号公報に記載されている装置では，画像データの円滑な流通を促進させることなどのために，画像データへの情報の追加埋め込みを，安全・確実に行うことができるようにすることを目的として，符号化した画像データを元の画像に復元する逆符号化装置の処理と，画像データに情報を埋め込む電子透かし挿入装置の処理とを分離不可能に構成し，画像データから元の画像を復元する際に，逆符号化装置によって復元処理を行うとともに，電子透かし挿入装置によって情報の埋め込みを行うことにより，逆符号化装置にて元の画像を得る段階で情報を埋め込む。
【００２１】
また，特開平１０−１４５７５７号公報に記載されている方法では，部分画像に透かし情報を蓄積し，その部分画像から透かし情報を抽出することによって信頼性を改善することを目的として，以下の手順で処理を行う。まず，透かし処理されるデータを複数の小区域に分割する。透かし処理されるデータの周波数係数をそれぞれの小区域で算出する。透かし信号を擬似乱数ノイズシーケンスにマッピングすることによって，挿入される透かし信号を拡散スペクトルに変調する。平均出力の関数としてのＰＮをデータのそれぞれの周波数係数にスペクトル形成する。そして，スペクトル形成されたそれぞれのＰＮシーケンスをそれぞれの小区域のデータの所定係数に挿入する。こうして画像，映像，及び音声データを含むデータの電子透かし処理を，透かしをデータの小区域あるいは部分画像に繰り返し挿入することによって行う。同様に透かしをデータの小区域から繰り返し抽出する。
【００２２】
コンテンツ属性登録要求手段２３は，発行されたコンテンツＩＤに関するコンテンツの属性情報を，コンテンツディレクトリサーバ１に対して登録または更新するように要求する手段である。なお，利用者認証手段を端末２にも付け加えてもよい。
【００２３】
図２は，利用者ＩＤ情報，コンテンツＩＤ情報，コンテンツ属性情報の各データ構造の例を示すものである。利用者ＩＤ情報は，利用者が暗号通信の認証機関等から与えられた識別用情報（利用者番号）である。コンテンツＩＤ情報は，コンテンツの識別のためにコンテンツディレクトリサーバが利用者に対して与える識別用情報である。図２（Ｂ）に示す例では，利用者ＩＤと作品番号（作品ＩＤ）のペアの情報で構成されている。コンテンツ属性情報は，コンテンツＩＤ毎にそのコンテンツの属性情報を格納するものであり，例えば登録年月日，メディア種別（静止画像，動画像，音楽等），検索用分類コード１・２・３，コンテンツ格納アドレスで構成される。ここでコンテンツ格納アドレスには，コンテンツが閲覧など可能なように掲載などされているホームページのアドレス，またはそのコンテンツを購入するための連絡先の通信アドレス等が含まれる。
【００２４】
次に本実施の形態での動作例を，コンテンツＩＤ登録手順，コンテンツ属性登録手順，コンテンツ検索手順で説明する。
【００２５】
図３は，コンテンツＩＤ登録手順の例を示す。端末２のコンテンツＩＤ発行要求手段２２からコンテンツＩＤの発行要求が起こり（ステップＳ１０），それを受けて発行要求した利用者の認証を，利用者ＩＤ情報をもとにコンテンツＩＤ発行サーバ３の利用者認証手段３２が行い（Ｓ１１），利用者が正しく認証されれば，コンテンツＩＤ発行サーバ３のコンテンツＩＤ発行手段３４がコンテンツＩＤを発行し（Ｓ１２），端末２に送信する（Ｓ１３）。さらに，コンテンツＩＤ発行サーバ３のＩＤ情報管理手段３３が，発行したコンテンツＩＤと利用者ＩＤの組の情報をデータベースに保存する（Ｓ１４）。
【００２６】
端末２では，コンテンツＩＤ送受信手段２４がコンテンツＩＤを受け取り（Ｓ１５），コンテンツＩＤ付与手段２５がコンテンツＩＤをコンテンツに付与する（Ｓ１６）。コンテンツＩＤ付与が完了すると，端末２は完了通知をコンテンツディレクトリサーバ１に送る。なお，コンテンツＩＤの電子透かしによる埋め込みに関しては，固定鍵を用いて電子透かしを埋め込み，コンテンツＩＤ付与の前に，既にコンテンツＩＤが付与されているか否かを電子透かしを固定鍵により読み出すようにし，もし既に埋め込まれていれば，付与を行わないように構成してもよい。
【００２７】
また，コンテンツＩＤ発行サーバ３は，コンテンツディレクトリサーバ１に対してコンテンツＩＤと利用者ＩＤの組の情報を送信する。コンテンツディレクトリサーバ１では，ＩＤ情報管理手段１３が，受信した情報をデータベースに保存して管理する（Ｓ１７）。
【００２８】
図４は，コンテンツ属性登録手順の例を示す。端末２のコンテンツ属性登録要求手段２３が，コンテンツ属性情報の登録・更新を要求すると（Ｓ２０），コンテンツディレクトリサーバ１の利用者認証手段１２が利用者を認証する（Ｓ２１）。正しく認証されたら，端末２からコンテンツＩＤとそのコンテンツＩＤに関する属性情報をコンテンツディレクトリサーバ１に送り（Ｓ２２），コンテンツディレクトリサーバ１がこれを受け取る（Ｓ２３）。
【００２９】
コンテンツディレクトリサーバ１のＩＤ情報管理手段１３は，その利用者ＩＤと属性登録更新要求で上がってきたコンテンツＩＤの組の情報に対して，既にデータベースで管理しているコンテンツＩＤと利用者ＩＤの組の情報と照らし合わせることにより，属性登録の要求者がそのコンテンツＩＤの属性情報を登録変更する正当性を有しているか否かをチェックする（Ｓ２４）。この際，さらにコンテンツディレクトリサーバ１から，コンテンツＩＤ発行サーバ３に対して属性登録の要求者がそのコンテンツＩＤの属性情報を登録変更する正当性を有しているか否かをチェックするために，そのコンテンツＩＤに対する利用者ＩＤを問い合わせてもよい。
【００３０】
登録の正当性の確認（Ｓ２５）が済めば，コンテンツ属性情報登録更新手段１５がそのコンテンツＩＤに関するコンテンツ属性情報を登録または更新する（Ｓ２６）。
【００３１】
図５は，コンテンツ検索手順の例を示す。コンテンツディレクトリサーバ１のコンテンツＩＤ送受信手段１４がコンテンツＩＤを端末２から受信すると（Ｓ３０），そのコンテンツ属性情報を端末２に送信する（Ｓ３１）。さらに，端末２からコンテンツ属性情報の属性パラメータを指定した検索要求があれば（Ｓ３２），指定条件に一致するコンテンツをコンテンツディレクトリサーバ１のコンテンツ検索手段１６が検索し（Ｓ３３），検索結果を端末２に送信する（Ｓ３４）。
【００３２】
【発明の効果】
本発明によれば，コンテンツ管理用の識別情報が登録の正当性を確保して発行されると同時に，コンテンツ管理用の識別情報またはコンテンツの属性情報をもとにコンテンツに関するコンテンツの検索が可能になるだけでなく，コンテンツ毎の属性情報の登録更新の際の登録更新要求の正当性を保証することも可能になる。
【図面の簡単な説明】
【図１】コンテンツディレクトリシステムのブロック構成図である。
【図２】利用者ＩＤ情報，コンテンツＩＤ情報，コンテンツ属性情報の各データ構造の例を示す図である。
【図３】コンテンツＩＤ登録手順の例を示す図である。
【図４】コンテンツ属性登録手順の例を示す図である。
【図５】コンテンツ検索手順の例を示す図である。
【符号の説明】
１    コンテンツディレクトリサーバ
１１  サーバ制御手段
１２  利用者認証手段
１３  ＩＤ情報管理手段
１４  コンテンツＩＤ送受信手段
１５  コンテンツ属性情報登録更新手段
１６  コンテンツ検索手段
２    端末
２１  端末制御手段
２２  コンテンツＩＤ発行要求手段
２３  コンテンツ属性登録要求手段
２４  コンテンツＩＤ送受信手段
２５  コンテンツＩＤ付与手段
３    コンテンツＩＤ発行サーバ
３１  ＩＤ発行サーバ制御手段
３２  利用者認証手段
３３  ＩＤ情報管理手段
３４  コンテンツＩＤ発行手段
４    ネットワーク
【図１】
0003723379.tif 000002
【図２】
0003723379.tif 000003
【図３】
0003723379.tif 000004
【図４】
0003723379.tif 000005
【図５】
0003723379.tif 000006